(57)【要約】【課題】挿抜回数の保証値を高めることで耐久性を向上させた抜止形プラグ受けを提供する。【解決手段】コンセント１の器体２には、丸棒状の複数本の電極ピン５２ａ〜５２ｃとこれら電極ピン５２ａ〜５２ｃの周りを囲む略四角筒状の周壁５３とを具備した差込プラグ５０が着脱自在に接続されるプラグ接続部３が設けられている。プラグ接続部３は、器体２の表面にそれぞれ開口して各電極ピン５２ａ〜５２ｃが挿入される複数のピン挿入口８ａ〜８ｃと、器体２の表面に設けられて周壁５３が挿入される挿入溝９と、各ピン挿入口ピン８ａ〜８ｃを通して挿入される各電極ピン５２ａ〜５２ｃと電気的に接続される複数のコンタクト１１ａ〜１１ｃとを備える。挿入溝９には、この挿入溝９に周壁５３が挿入された状態で、この周壁５３に設けられた爪５６が引っ掛かることで、差込プラグ５０の抜け止めを行う凹部１３が設けられている。【選択図】図１
2011175801.tif 000002
【特許請求の範囲】
【請求項１】
丸棒状の複数本の電極ピンとこれら電極ピンの周りを囲む周壁とを具備した差込プラグが着脱自在に接続されるプラグ接続部が設けられた器体を備え、
前記プラグ接続部は、前記器体の表面にそれぞれ開口して前記各電極ピンが挿入される複数のピン挿入口と、前記器体の表面に設けられて前記周壁が挿入される挿入溝と、前記各ピン挿入口を通して挿入される前記各電極ピンと電気的に接続される複数の刃受とを備え、
前記挿入溝には、この挿入溝に前記周壁が挿入された状態で、この周壁を保持する周壁保持部が設けられたことを特徴とする抜止形プラグ受け。
【請求項２】
前記挿入溝において、複数の前記ピン挿入口を間にした両側位置に、前記周壁保持部がそれぞれ設けられたことを特徴とする請求項１記載の抜止形プラグ受け。
【請求項３】
前記挿入溝において、複数の前記ピン挿入口が並ぶ方向に沿った内側面に前記周壁保持部が設けられたことを特徴とする請求項１記載の抜止形プラグ受け。
【請求項４】
前記挿入溝は、この挿入溝で囲まれる部位が略四角形状となるような形状に形成されたことを特徴とする請求項１乃至３の何れか１項に記載の抜止形プラグ受け。
【請求項５】
前記周壁保持部は、前記挿入溝の内側面に設けられて、前記周壁に設けられた爪が引っ掛かることで抜け止めを行う凹部からなることを特徴とする請求項１乃至４の何れか１項に記載の抜止形プラグ受け。
【請求項６】
前記凹部は、前記挿入溝の内側面のうち、前記ピン挿入口と反対側の内側面に設けられたことを特徴とする請求項５記載の抜止形プラグ受け。
【請求項７】
前記器体には前記プラグ接続部が複数設けられ、
前記各刃受に電気的に接続されるとともに、前記器体から導出されて先端に差込プラグが設けられたケーブルを備えたことを特徴とする請求項１乃至６の何れか１項に記載の抜止形プラグ受け。
【発明の詳細な説明】
【技術分野】
【０００１】
本発明は、抜止形プラグ受けに関するものである。
【背景技術】
【０００２】
従来、抜止形のプラグ受けとして、例えば特許文献１に開示されるものが提供されていた。上記特許文献に開示された抜止形のプラグ受けでは、プラグ受けの栓刃挿入口に差込プラグの栓刃を挿入した状態で差込プラグを回転させると、栓刃に設けた貫通孔に、刃受ばねの突起が嵌合して、抜け止めが行われるものであった。
【先行技術文献】
【特許文献】
【０００３】
【特許文献１】特開２００１−１８５２８９号公報
【発明の概要】
【発明が解決しようとする課題】
【０００４】
上述した従来の抜止形プラグ受けでは、差込プラグを回転させる際に刃受ばねを広げる向きの弾性力が刃受ばねに加わるため、挿抜回数の増加によって刃受ばねによる栓刃の保持力が低下する傾向があった。そのため、挿抜回数の保証値が少なく、耐久性の向上が求められていた。
【０００５】
本発明は上記事由に鑑みて為されたものであり、その目的とするところは、挿抜回数の保証値を高めることで耐久性を向上させた抜止形プラグ受けを提供することにある。
【課題を解決するための手段】
【０００６】
上記課題を解決するために、第１の発明の抜止形プラグ受けは、丸棒状の複数本の電極ピンとこれら電極ピンの周りを囲む周壁とを具備した差込プラグが着脱自在に接続されるプラグ接続部が設けられた器体を備え、プラグ接続部は、器体の表面にそれぞれ開口して各電極ピンが挿入される複数のピン挿入口と、器体の表面に設けられて周壁が挿入される挿入溝と、各ピン挿入口を通して挿入される各電極ピンと電気的に接続される複数の刃受とを備え、挿入溝には、この挿入溝に周壁が挿入された状態で、この周壁を保持する周壁保持部が設けられたことを特徴とする。
【０００７】
第２の発明の抜止形プラグ受けは、第１の発明において、挿入溝において、複数のピン挿入口を間にした両側位置に、周壁保持部がそれぞれ設けられたことを特徴とする。
【０００８】
第３の発明の抜止形プラグ受けは、第１の発明において、挿入溝において、複数のピン挿入口が並ぶ方向に沿った内側面に周壁保持部が設けられたことを特徴とする。
【０００９】
第４の発明の抜止形プラグ受けは、第１〜第３の発明において、挿入溝は、この挿入溝で囲まれる部位が略四角形状となるような形状に形成されたことを特徴とする。
【００１０】
第５の発明の抜止形プラグ受けは、第１〜第４の発明において、周壁保持部は、挿入溝の内側面に設けられて、周壁に設けられた爪が引っ掛かることで抜け止めを行う凹部からなることを特徴とする。
【００１１】
第６の発明の抜止形プラグ受けは、第５の発明において、凹部は、挿入溝の内側面のうち、ピン挿入口と反対側の内側面に設けられたことを特徴とする。
【００１２】
第７の発明の抜止形プラグ受けは、第１〜第６の発明において、器体にはプラグ接続部が複数設けられ、各刃受に電気的に接続されるとともに、器体から導出されて先端に差込プラグが設けられたケーブルを備えたことを特徴とする。
【発明の効果】
【００１３】
本発明によれば、挿抜回数の保証値を高めることによって、耐久性を向上させた抜止形プラグ受けを提供することができる。
【図面の簡単な説明】
【００１４】
【図１】実施形態１のコンセントおよび差込プラグの斜視図である。
【図２】同上のコンセントに差込プラグを接続した状態の斜視図である。
【図３】同上のコンセントを示し、（ａ）は要部を拡大した正面図、（ｂ）は要部を拡大した斜視図である。
【図４】同上のコンセントに差込プラグを接続した状態の正面図である。
【図５】同上のコンセントに差込プラグを接続する前の状態を示し、図４におけるＡ−Ａ断面図である。
【図６】（ａ）〜（ｄ）は、同上のコンセントの他例を示す要部の正面図である。
【図７】同上のコンセントの他例を示す要部の正面図である。
【図８】実施形態２のコンセントを示し、（ａ）はコンセントの要部を示す正面図、（ｂ）はコンセントに差込プラグを接続した状態の断面図である。
【図９】実施形態３のコンセントの正面図である。
【発明を実施するための形態】
【００１５】
以下に本発明の実施の形態を図面に基づいて説明する。
【００１６】
（実施形態１）
本発明の技術思想を、機器に取り付けた状態で使用されるコンセントに適用した実施形態１について図１〜図７を参照して説明する。本実施形態のコンセント１は、例えば、ルータやハブなどの通信機器を収納するラック（所謂、情報ラック）に取り付けられて、通信機器に直流電圧を供給するためのコンセント（所謂、情報コンセント）である。電源供給元である電源回路の種類としてはＳＥＬＶ（Safty Extra Low Voltage：安全超低電圧）回路、ＥＬＶ（Extra Low Voltage：超低電圧）回路、ＦＥＬＶ（functional extra low voltage; 機能的特別低電圧）回路などがＩＥＣ規格で規格化されている。本実施形態では電源回路としてＳＥＬＶ回路が用いられ、電源回路からコンセント１にＤＣ４８Ｖが供給されている。尚、以下の説明では、特に断りが無いかぎり、図３（ａ）に示す向きにおいて上下左右の方向を規定し、図５における上側を前側、下側を後側として説明を行う。これらの方向は、あくまで説明の便宜上のものであり、実際の使用状態での向きとは必ずしも一致しない。
【００１７】
このコンセント１は、図１及び図２に示すように、細長い直方体状に形成された器体２を備え、器体２の一面には差込プラグ５０が着脱自在に接続されるプラグ接続部３が複数（図示例では例えば６個）設けられている。器体２の長手方向一端面からはケーブル４が導出され、このケーブル４の先端には、差込プラグ５０と同様の構成を有する差込プラグ１５が接続されている。而して、この差込プラグ１５をコンセントや他のコンセント１に接続することによって、ケーブル４を介して各プラグ接続部３に直流電力が供給されるのである。尚、ケーブル４は２本の電源用電線と１本の接地用電線で構成されている。
【００１８】
器体２は、絶縁性の合成樹脂により上面が開口した略箱状に形成されたボディ５と、ボディ５の開口における長手方向一端側を覆う合成樹脂製の端子カバー６と、ボディ５の開口の残部を覆う合成樹脂製のカバー７とを結合して構成される。この器体２には、長手方向の両側に、上述の情報ラックに固定するためのネジを通す貫通孔１２，１２が設けられている。
【００１９】
ここで、ボディ５と端子カバー６とで囲まれる収納空間には、ケーブル４を結線するための例えばネジ端子からなるケーブル接続端子（図示せず）が収納されている。
【００２０】
また、カバー７には、複数（例えば６個）のプラグ接続部３が長手方向に所定の間隔を開けて設けられている。各プラグ接続部３では、差込プラグ５０に設けられた３本の電極ピン５２ａ，５２ｂ，５２ｃがそれぞれ挿入される３個のピン挿入口８ａ，８ｂ，８ｃが、カバー７の表面（前面７ａ）に開口している。また、各プラグ接続部３では、３個のピン挿入口８ａ〜８ｃの周りを囲むようにして、差込プラグ５０に設けられた周壁５３が挿入される挿入溝９がカバー７の前面７ａに形成されている。さらに、ボディ５とカバー７とで囲まれる収納空間には、ピン挿入口８ａ〜８ｃを通して挿入される電極ピン５２ａ〜５２ｃに電気的に接続されるコンタクト（刃受）１１ａ〜１１ｃが収納されている。これらのコンタクト１１ａ〜１１ｃは上述のケーブル接続端子に電気的に接続され、差込プラグ１５がコンセント（図示せず）に接続されると、コンタクト１１ａ，１１ｂに直流電力が供給されるようになっている。ここで、カバー７の表面において挿入溝９で囲まれた部位（以下、この部位を突台部１０と言う。）は、前方から見た平面視の形状が略四角形状に形成されている。ここにおいて、略四角形状とは、四角形や、四角形の少なくとも１つの角を斜めに切り取った形状も含む形状を言う。
【００２１】
ところで、本実施形態のコンセント１はＤＣ４８Ｖ用であり、突台部１０下側の左右の角が斜めに切り取られたような形状に形成されるとともに、挿入溝９も突台部１０の外周形状に合わせて形成されている。尚、ＩＥＣ規格ではＳＥＬＶ回路の電圧として、ＤＣ４８Ｖ以外にもＤＣ６Ｖ，ＤＣ１２Ｖ，ＤＣ２４Ｖが規定されており、コンセント１では、電圧値の違いが視覚的に識別できるように、電圧値に応じて挿入溝９及び突台部１０の形状を異ならせている。ＤＣ６Ｖ用のコンセント１では、図６（ａ）に示すように、突台部１０の右下角を斜めにカットしてテーパ面１０ａを設けるとともに、挿入溝９も突台部１０の外周形状に合わせて形成されている。また、ＤＣ１２Ｖ用のコンセント１は、図６（ｂ）に示すように、突台部１０の左下角を斜めにカットしてテーパ面１０ａを設けるとともに、挿入溝９も突台部１０の外周形状に合わせて形成されている。また、ＤＣ２４Ｖ用のコンセント１では、図６（ｃ）に示すように突台部１０の角にテーパ面を設けず、四角形状（矩形状）に形成してあり、挿入溝９も突台部１０の外周形状に合わせて形成してある。
【００２２】
このように、前方から見た突台部１０の形状は、ＤＣ２４Ｖ用のコンセント１では矩形状のままであり、ＤＣ６Ｖ、１２Ｖ、４８Ｖ用のコンセント１では四角形状の角を少なくとも１つ切り取った形状に形成されている。したがって、供給電圧の違いに応じて突台部１０の外周形状が異なっているので、突台部１０の外周形状から供給電圧を容易に判別でき、供給電圧の異なる差込プラグ５０が接続されるのを防止できる。なお突台部１０の外周形状は、四角形状（矩形状）の角を供給電圧に応じて少なくとも１つ切り取った形状に形成されているので、突台部１０の前面視の形状が矩形の外側に張り出すことがなく、プラグ接続部３の小型化を図ることができる。また、形状の違いによって、差込プラグ５０を接続する向きが容易に判別でき、より差し込みしやすいものになる。尚、本実施形態では、突台部１０の下側の角を供給電圧の種類に応じて切り取ることによって、突台部１０の形状が電圧値に応じて変更されているが、切り取られる角の位置や数は上記の形態に限定されるものではない。また切り取る部位の形状も上記の形態に限定されるものではなく、例えば図６（ｄ）に示すように突台部１０の角を略直角に切り取って、入り隅部１０ｂを設けてもよい。
【００２３】
ところで、各プラグ接続部３には、突台部１０に３個のピン挿入口８ａ〜８ｃが開口しているが、電源側の２個のピン挿入口８ａ，８ｂは、突台部１０の上側辺に沿って左右に並んで配置され、且つ、下側辺よりも上側辺に近い位置に偏って配置されている。また、接地極用のピン挿入口８ｃは、２個のピン挿入口８ａ，８ｂの左右方向における中間位置であって、下側辺に近い位置に配置されている。
【００２４】
また、挿入溝９の内側面には、ピン挿入口８ａ〜８ｃが開口する部位を挟んで両側位置（左右方向の両側位置）に、差込プラグ５０の周壁５３に設けた爪５６が引っ掛けられる凹部１３が開口している。すなわち、差込プラグ５０の周壁５３が挿入溝９内に挿入された状態で、爪５６が凹部１３に引っ掛けられることによって、差込プラグ５０の抜け止めが行われるのである。
【００２５】
次に、本実施形態のコンセント１に着脱自在に接続される差込プラグ５０について、図１及び図５を参照して説明する。尚、差込プラグ５０の説明では、コンセント１に接続される側を前側、反対側を後側として説明を行う。
【００２６】
差込プラグ５０は、手で把持できる程度の大きさに形成された直方体状のプラグ本体５１を備え、プラグ本体５１の後面からは負荷機器との間をつなぐケーブル６０が導出されている。尚、図４及び図５ではケーブル６０を省略して図示してある。
【００２７】
プラグ本体５１の前面には、プラグ接続部３のピン挿入口８ａ〜８ｃにそれぞれ挿入される丸棒状の電極ピン５２ａ〜５２ｃが、前方に向かって突出するように設けられている。ここで、電極ピン５２ａ，５２ｂは電圧極用の電極ピンであり、電極ピン５２ｃは接地極用の電極ピンである。またプラグ本体５１の前面には、電極ピン５２ａ〜５２ｃの周りを囲む周壁５３が設けられている。この周壁５３は、電極ピン５２ａ〜５２ｃよりも前方まで突出し、前方から見た平面視の形状が、上述の挿入溝９と同様に略四角形状に形成されている。
【００２８】
また、プラグ本体５１の左右両側部には、上述した凹部１３に引っ掛ける爪５６を有するロック片５５が設けられている。このロック片５５は、周壁５３の前端部でプラグ本体５１に支持されるとともに、周壁５３の前端部以外ではスリット５４によってプラグ本体５１から分離されている。ロック片５５は、周壁５３の前端部を支点として、後端部が左右方向において移動自在となっている。そして、ロック片５５の後端部には、左右方向の外側（プラグ本体５１の中心と反対側）に突出する操作片５５ａが設けられるとともに、凹部１３に対応する部位には凹部１３に引っ掛けるための爪５６が設けられている。尚、爪５６は、後側にいくほど突出量が大きくなるようなテーパ形状に形成されている。
【００２９】
次に、本実施形態のコンセント１に差込プラグ５０を差し込んだり、抜き取ったりする際の動作について説明する。図１及び図５に示すように、ユーザが、差込プラグ５０を正しい向きに向けてプラグ接続部３に差し込むと、周壁５３が挿入溝９内に挿入されるとともに、各電極ピン５２ａ〜５２ｃが対応するピン挿入口８ａ〜８ｃにそれぞれ挿入される。各ピン挿入口８ａ〜８ｃより器体２内部に挿入された電極ピン５２ａ〜５２ｃは、それぞれ対応するコンタクト１１ａ〜１１ｃに接続され、差込プラグ５０側に直流電力が供給される。また周壁５３が挿入溝９内に挿入されると、爪５６が周壁５３に押されることによって、ロック片５５の後端側が左右方向の内側に撓められる。周壁５３の先端が挿入溝９の奥まで挿入されると、周壁５３の内側面に設けられた凹部１３に爪５６が入り込み、ロック片５５の弾性復帰力によって、ロック片５５が左右方向の外側に広がった状態となる。この時、ロック片５５の爪５６が、カバー７の前壁後面に引っ掛かることで、差込プラグ５０の抜け止めが行われ、差込プラグ５０が接続された状態で保持される。尚、爪５６はテーパ形状に形成されているので、差込プラグ５０を差し込むだけで、特別な操作をすることなく、爪５６を凹部１３に引っ掛けて、接続状態を保持することができる。ところで、差込プラグ５０をコンセント１に着脱する際にはアークが発生する可能性があり、交流電圧の供給に使用される場合は電源電圧のゼロクロスでアークが消弧されるが、直流電圧の供給に使用される場合はアークが持続しやすくなっている。本実施形態の差込プラグ５０では、電極ピン５２ａ〜５２ｃがコンタクト１１ａ〜１１ｃに接続される際には、既に周壁５３の先端が挿入溝９に挿入されているので、電極ピン５２ａ〜５２ｃの接続時にアークが発生したとしても外部からアークが見えることはない。
【００３０】
一方、差込プラグ５０をコンセント１から抜き取る際には、ユーザが左右のロック片５５の操作片５５ａを左右方向における内側に押すと、ロック片５５が前端部（周壁５３に片持ち支持された部位）を支点として左右方向の内側に撓められる。各ロック片５５が左右方向の内側に撓むと、爪５６が凹部１３の外側に出ることによって、カバー７の前壁に引っ掛かった状態（ロック状態）が解除される。ロック状態の解除後にプラグ本体５１をコンセント１から離れる方向へ引き抜くと、各電極ピン５２ａ〜５２ｃがピン挿入口８ａ〜８ｃの外側へ出るとともに、周壁５３が挿入溝９の外側に出て、差込プラグ５０がコンセント１から引き抜かれるのである。尚、電極ピン５２ａ〜５２ｃがコンタクト１１ａ〜１１ｃから離れた瞬間には、まだ周壁５３の先端が挿入溝９内に挿入されているので、電極ピン５２ａ〜５２ｃの開離時にアークが発生したとしても外部からアークが見えることはない。
【００３１】
上述のように本実施形態のコンセント１では、差込プラグ５０の周壁５３が挿入溝９に挿入された状態で、この周壁５３を保持する周壁保持部が、挿入溝９に設けられている。すなわち、差込プラグ５０の周壁５３に設けられた爪５６と引っ掛かる凹部１３が、挿入溝９の内面に設けられ、爪５６が凹部１３に係合することで、差込プラグ５０の抜け止めが行われるので、ケーブル６０が引っ張られる等して不用意に抜けるのを抑制できる。しかも、従来例で説明したプラグ受けのように挿抜回数が増えても、コンタクト１１ａ〜１１ｃによる電極ピン５２ａ〜５２ｃの保持力が低下することはないから、挿抜回数の保証値を増やすことができ、耐久性を向上させたコンセント１を提供できる。
【００３２】
また、爪５６を引っ掛ける凹部１３が、挿入溝９において突台部１０の上下両側の側面に設けられていると、隣接するプラグ接続部３に接続された差込プラグ５０が邪魔になって、ロック片５５の操作がやりにくいという問題がある。それに対して、本実施形態では凹部１３が、挿入溝９において突台部１０の左右両側の側面に設けられているので、隣接するプラグ接続部３に差込プラグ５０が接続されていても、ロック片５５の操作が容易に行える。しかも、片側のみでロック片５５と凹部１３とを係合させる場合に比べて、コンセント１を安定的に保持することができ、その結果、差込プラグ５０がコンセント１に接続された状態を安定的に維持することができる。尚、爪５６を引っ掛ける凹部１３は、挿入溝９において突台部１０の左側の側面、或いは、右側の側面の何れか一方のみに設けられていてもよい。
【００３３】
また、上下方向に隣接するプラグ接続部３との間隔が十分広ければ、図７に示すように、突台部１０の図中上側の側面に凹部１３を１箇所だけ設けてもよいし、図中下側の側面に凹部１３が１箇所だけ設けられてもよい。凹部１３とロック片５５が２箇所で係合する場合はケーブル外し時に２つのロック片５５を同時に操作する必要があるが、凹部１３とロック片５５とを１箇所のみで係合させれば、操作性を向上させることができる。しかも、１箇所の凹部１３は、挿入溝９の内側壁において、電圧側の２本の電極ピン５２ａ，５２ｂの中間部に対応する位置に設けられているので、差込プラグ５０をコンセント１に対して安定的に保持させることができる。尚、挿入溝９内で、使用状態において下側となる１つの側面のみに凹部１３を設けるようにすれば、差込プラグ５０のロック片５５がプラグ本体５１の下側に位置するので、ロック片５５が目立たず、外観の見栄えを良くできる。
【００３４】
さらに、挿入溝９は、この挿入溝９で囲まれる部位が略四角形状となるような形状に形成されており、挿入溝９で囲まれる部位を複雑な形状に形成する場合に比べて、挿入溝９や凹部１３の形成が比較的容易であり、また差込プラグ５０を接続する向きが視覚的に理解しやすい。
【００３５】
ところで、本実施形態では突台部１０を前方から見た形状を電圧値に応じて異ならせているので、挿入溝９の内側壁のうち、凹部１３が設けられた内側壁の幅寸法Ｄ１（図３（ａ）参照）が、突台部１０に設けられるテーパ面１０ａの有無によって変化する。ここで、凹部１３の幅寸法Ｄ２は、テーパ面１０ａが設けられた場合の挿入溝９の内側壁の幅寸法Ｄ１よりも狭い寸法に形成されているので、挿入溝９の形状が異なる全てのプラグ接続部３で、凹部１３及びロック片５５に同じ形状のものを使用することができる。
【００３６】
また、本実施形態では、挿入溝９の内側面に開口を形成することによって、爪５６が引っ掛かる凹部１３を形成してあり、複雑な形状を形成する必要がなく、開口を開けるだけでよいので、製造が容易である。なお、凹部１３を形成するために、挿入溝９の内側面のうち、突台部１０側の内側面に開口が設けられた場合は、突台部１０内に配置されたコンタクト１１ａ〜１１ｃに爪５６が干渉するのを防止するための対策が必要になる。しかしながら、本実施形態では、挿入溝９の内側面のうち突台部１０と反対側、つまりピン挿入口８ａ〜８ｃと反対側の内側面に開口が設けられているので、コンタクト１１ａ〜１１ｃに爪５６が干渉するのを防止するための対策が不要で、製造が容易になる。
【００３７】
また、凹部１３において爪５６が引っ掛かる部位は、挿入溝９側の段部１３ａと、この段部１３ａよりも後側に位置する段部１３ｂとで２段の階段状に形成されている（図５参照）。凹部１３が、図５に破線１３ｃで示すような１段の凹形状に形成されている場合、凹部１３を形成するために図５の下側から挿入される金型の厚みが薄くなり、金型の強度が低下するという問題がある。それに対して、凹部１３を２段の凹形状に形成すれば、この凹部１３を形成するために、図５の下側から挿入される金型の厚みを厚くでき、金型の強度を高めて、金型の寿命を延ばすことができる。
【００３８】
（実施形態２）
本発明の実施形態２を図８に基づいて説明する。尚、実施形態１と共通する構成要素には同一の符号を付して、その説明は省略し、本実施形態の特徴部分のみを説明する。
【００３９】
本実施形態では、図８（ａ）（ｂ）に示すように、挿入溝９の内側面のうち、突台部１０側の内側面に、内側面の一部を凹ませる形で、爪５６が引っ掛かる凹部１４が形成されている。このコンセント１に接続される差込プラグ５０では、前後方向の中間部でプラグ本体５１に支持されたロック片５５が設けられており、ロック片５５の前端側に爪５６が、後端側に操作片５５ａがそれぞれ設けられている。而して、ユーザが左右の操作片５５ａを左右方向の内側に押すと、前後方向の中間部を支点として、ロック片５５の前端部が左右方向の外側に広げられる。また、ユーザが操作片５５ａから手を離すと、ロック片５５の弾性復帰力によって、ロック片５５の前端部が左右方向の内側に移動した初期状態となる。
【００４０】
ユーザが、この差込プラグ５０を正しい向きに向けてプラグ接続部３に差し込むと、周壁５３が挿入溝９内に挿入されるとともに、各電極ピン５２ａ〜５２ｃが対応するピン挿入口８ａ〜８ｃにそれぞれ挿入される。各ピン挿入口８ａ〜８ｃより器体２内部に挿入された電極ピン５２ａ〜５２ｃは、それぞれ対応するコンタクト１１ａ〜１１ｃに接続され、差込プラグ５０側に直流電力が供給される。また周壁５３が挿入溝９内に挿入されると、爪５６が周壁５３に押されることによって、ロック片５５の前端側が左右方向の外側に撓められる。周壁５３の先端が挿入溝９の奥まで挿入されると、周壁５３の内側面に設けられた凹部１４に爪５６が入り込み、ロック片５５の弾性復帰力によって、ロック片５５の前端部が左右方向の内側に移動し、爪５６が凹部１４に引っ掛かった状態となる。この時、ロック片５５の爪５６が、凹部１４の角に引っ掛かることで、差込プラグ５０の抜け止めが行われ、差込プラグ５０が接続された状態で保持される。尚、爪５６はテーパ形状に形成されているので、差込プラグ５０を差し込むだけで、特別な操作をすることなく、爪５６を凹部１４に引っ掛けて、接続状態を保持させることができる。
【００４１】
一方、差込プラグ５０をコンセント１から抜き取る際には、ユーザが左右のロック片５５の操作片５５ａを左右方向における内側に押すと、ロック片５５の前端部が、中間部を支点にして、左右方向の外側に撓められる。各ロック片５５の前端部が左右方向の外側に撓むと、爪５６が凹部１４の外側に出ることによって、凹部１４に引っ掛かった状態（ロック状態）が解除される。ロック状態の解除後に、プラグ本体５１をコンセント１から離れる方向へ引き抜くと、周壁５３が挿入溝９の外側に出るとともに、各電極ピン５２ａ〜５２ｃがピン挿入口８ａ〜８ｃの外側に出て、差込プラグ５０がコンセント１から引き抜かれるのである。
【００４２】
尚、爪５６が引っ掛かる凹部１４は、挿入溝９における突台部１０側の内側壁に形成されているが、内側壁の一部を凹ませる形で形成されており、内側壁には開口が設けられていないので、爪５６がコンタクト１１ａ〜１１ｃに干渉する虞はない。
【００４３】
（実施形態３）
上述の実施形態１，２では機器に取り付けた状態で使用されるコンセントを例に説明を行ったが、以下では造営材（例えば壁）に取り付けた状態で使用されるコンセントに本発明の技術思想を適用した実施形態について説明を行う。
【００４４】
図９は造営材に固定して使用されるコンセント２０の正面図である。コンセント２０は、日本工業規格（ＪＩＳ  Ｃ  ８３０３参照）に準拠した大きさであって、大角形連用配線器具の取付枠（ＪＩＳ  Ｃ  ８３７５参照）に３個まで並べて取着可能な大きさ（１個モジュール寸法）に形成された器体２１を有している。この器体２１の正面には、実施形態１又は２で説明したプラグ接続部３が設けられている。プラグ接続部３は、実施形態１又は２で説明したものと同様の構成を有しているので、共通する構成要素には同一の符号を付して、その説明は省略する。尚、図９中の３０は、大角形連用配線器具の取付枠の前面に取り付けられる化粧プレートであり、化粧プレート３０の窓孔３１からコンセント２０の機能面（プラグ接続部３が設けられた前面）が露出する。
【００４５】
本実施形態のコンセント２０では、差込プラグ５０の周壁５３に設けられた爪５６が引っ掛かる凹部１３が、挿入溝９の内側面に設けられ、爪５６が凹部１３の端部に引っ掛かることで、差込プラグ５０の抜け止めが行われる。したがって、従来のプラグ受けのように挿抜回数が増えても、コンタクト１１ａ〜１１ｃによる電極ピン５２ａ〜５２ｃの保持力が低下することはないから、挿抜回数の保証値を増やすことができ、耐久性を向上させたコンセント２０を提供することができる。
【００４６】
尚、上述の実施形態１〜３では、機器（情報ラック）や造営面に固定して使用されるコンセントを例に説明したが、床などに置いたり、吊り下げたりした状態で使用されるマルチタップのようなプラグ受けに本発明の技術思想を適用してもよい。
【００４７】
また、上述の各実施形態では、接地極用の電極ピン５２ｃを備えた差込プラグ５０が接続可能なプラグ受けについて説明したが、接地極用のピン挿入口８ｃ及びコンタクト１１ｃを備えていないプラグ受けでも良い。
【符号の説明】
【００４８】
１  コンセント（抜止形プラグ受け）
２  器体
３  プラグ接続部
４  ケーブル
８ａ〜８ｃ  ピン挿入口
９  挿入溝
１１ａ〜１１ｃ  コンタクト（刃受）
１３  凹部（周壁保持部）
１５  差込プラグ
５０  差込プラグ
５２ａ〜５２ｃ  電極ピン
５３  周壁
５６  爪
【図１】
2011175801.tif 000003
【図２】
2011175801.tif 000004
【図３】
2011175801.tif 000005
【図４】
2011175801.tif 000006
【図５】
2011175801.tif 000007
【図６】
2011175801.tif 000008
【図７】
2011175801.tif 000009
【図８】
2011175801.tif 000010
【図９】
2011175801.tif 000011